(57)【要約】【課題】 微妙な加減をする必要なく、簡易に所望の数の粒状物を取り出すことが可能な振出し容器を提供する。【解決手段】  底部材（1）と蓋部材（2）から構成され、多数の粒状物を収納する容器であって：  前記粒状物の取出し口（8）に接した部位に、前記取出し口（8）を下に向けたときに前記粒状物が前記取出し口（8）から直接出ないようする仕切り部材（4）と  前記仕切り部材（4）を囲い、前記取出し口（8）への通路を構成する仕切り部材（5）とから構成される取出し部材を有し：  前記取出し口（8）を下に向けた状態で容器を軽く上下に振ることで、粒状物を所定数ずつ振り出すように構成された：振出し容器を提供する。【選択図】図１０
2005280825.tif 000002
【特許請求の範囲】
【請求項１】
底部材（1）と蓋部材（2）から構成され、多数の粒状物を収納する容器であって：
前記粒状物の取出し口（8）に接した部位に、前記取出し口（8）を下に向けたときに前記粒状物が前記取出し口（8）から直接出ないようする仕切り部材（4）と
前記仕切り部材（4）を囲い、取出し口への通路を構成する仕切り部材（5）とから構成される取出し部材を有し：
前記取出し口（8）を下に向けた状態で容器を軽く上下に振ることで、粒状物を所定数ずつ振り出すように構成された：
振出し容器。
【請求項２】
取出し部材が、平面状仕切り部材（4）と平面状仕切り部材（5）から構成される請求項１に記載の振出し容器。
【請求項３】
取出し部材が、平面状仕切り部材（4）と湾曲状仕切り部材（5）から構成される請求項１に記載の振出し容器。
【請求項４】
粒状物の通路がコの字状形状である請求項1または2に記載の振出し容器。
【請求項５】
粒状物の通路がＵ字状形状である請求項1または3に記載の振出し容器。
【発明の詳細な説明】
【技術分野】
【０００１】
本発明は、菓子類やその他の粒状物を収納し、前記粒状物を小出しできるようにした振出し容器に関するものである。
【背景技術】
【０００２】
錠菓等の粒状物を収納し、少量ずつ振出す従来の容器において、携帯可能な、片手で保持できる大きさで、容器を片手に持ち、取出し口から錠菓等を他方の手等に振り出す方式のものが市場に多く出回っている。
【０００３】
上記のような従来の振出し容器は、形成した取出し口を下側にして中身を振り出そうとすると、その取出し口から粒状物が次々に出てきてしまい、必要以上の粒状物を再び容器の中に戻したりしなければならず面倒である。これを避ける為に加減をしながら注意深く振り出そうとすることはかなり困難な作業となる。
【０００４】
粒状物を所定数ずつ取り出す手段として、特許文献1には容器本体と、スライドして粒状物の取出し口が開閉可能な蓋体とからなり、閉状態では粒状物が収納部内において取出し口のところに移動可能で、開状態では粒状物が収納部内において取出し口のところに移動できないように、容器本体に内側に突き出る凸部を形成するとともに蓋体に外側に突き出る膨出部を形成した構成とする容器が開示されている。
【０００５】
これは取り出し時に蓋体をスライドして開状態とすることにより、所定数の粒状物だけが取出し口に位置し、それ以外の粒状物は取出し口に移動できないことから所定数の粒状物だけを取り出すという機構であるが、一度の開閉で粒状物を取り出す数を加減することは出来ず、望む数に達するまで何度も蓋を開閉する必要がある。
【０００６】
また、特許文献2や特許文献3のように取出し口の大きさを可変にすることで粒状物の取り出し量を調整する機構が開示されているが、これらにおいても望む量を取り出したところで止めるには少なからず技量を要し、やはり必要以上の粒状物を元に戻さなければならないという事態を招く恐れがある。
【特許文献１】特開2001-240158号公報
【特許文献２】特開平11-180464号公報
【特許文献３】特開平11-180479号公報
【発明の開示】
【発明が解決しようとする課題】
【０００７】
本発明は上記従来技術の問題点に鑑みて創出されたものであり、その目的は、微妙な加減をする必要なく簡易に粒状物を望む量だけ取り出す容器を提供することである。
【課題を解決するための手段】
【０００８】
本発明者は、上記課題を解決するために、鋭意研究した結果、次の様な振出し容器を提供し、発明を完成するに至った。
【０００９】
すなわち、
1.底部材（1）と蓋部材（2）から構成され、多数の粒状物を収納する容器であって：
前記粒状物の取出し口（8）に接した部位に、前記取出し口（8）を下に向けたときに前記粒状物が前記取出し口（8）から直接出ないようする仕切り部材（4）と
前記仕切り部材（4）を囲い、前記取出し口（8）への通路を構成する仕切り部材（5）とから構成される取出し部材を有し：
前記取出し口（8）を下に向けた状態で容器を軽く上下に振ることで、粒状物を所定数ずつ振り出すように構成された：
振出し容器、
2. 取出し部材が、平面状仕切り部材（4）と平面状仕切り部材（5）から構成される１に記載の振出し容器、
3. 取出し部材が、平面状仕切り部材（4）と湾曲状仕切り部材（5）から構成される1に記載の振出し容器、
4. 粒状物の通路がコの字状形状である1または2に記載の振出し容器、
5. 粒状物の通路がＵ字状形状である1または3に記載の振出し容器
である。
【発明の効果】
【００１０】
本発明により、ただ単に取出し口を下に向けただけでは内容物の粒状物は振り出されず、容器を軽く上下に振ることで希望する所定数ずつ粒状物が振り出され、振るのをやめると粒状物が振り出されなくなることが可能である。
【発明を実施するための最良の形態】
【００１１】
以下、本発明の実施の形態を図面に基づいて説明する。なお、本発明は、図示の態様に限定されるものではなく、本発明の精神の範囲内において適宜設計変更可能なものである。
【００１２】
まず最初に、図１と図3に示す斜視図をもとに本発明を説明する。図１で示すように、本発明の振出し容器(A)は底部材(1)および蓋部材（2）とから構成されるものであって、容器の側面に粒状物の取出し口キャップ(3)を設けてある。この取出し口キャップ(3)は底部材(1)と蝶番状に接合しており、図3に示すように外方向に開くことができる。なお、キャップは図示しないが内外どちらの方向に開くよう設計しても良いし、スライド式など別方式でも構わない。取出し口キャップ(3)を開けることにより現れる取出し口(8)を下方に向け、粒状物を振り出すようになっている。なお、これら底部材(1)と蓋部材(2)は、ポリプロピレン、ポリエチレン、ポリスチレン等の熱可塑性樹脂を用いて所定形状に成型することにより得ることが出来る。
【００１３】
底部材(1)と蓋部材(2)には、後述するように内面側に複数個のボスが設けてあり、これらボスの嵌合により振出し容器(A)が組み立てられる。
【００１４】
次に、前記振出し容器(A)の底部材(1)と蓋部材(2)について詳細に説明する。底部材(1)には粒状物を振り出す取出し口(8)を囲うように、底部材(1)内部に平面状仕切り部材(4)と、粒状物を取出し口（8）に導くためのもう一つの仕切り部材(5)が形成されており、底部材(1)と蓋部材(2)とを組み合わせた際、前記仕切り部材(4)と(5)により、取出し口（8）に通ずるコの字状形状もしくはU字状形状の通路を前記容器(A)内部に形成する。仕切り部材(5)は例えば図8に示すように単一の湾曲面か、もしくは、図４、図６や図9に示すように湾曲面と平面の組み合わせてもよい。本発明において、平面状とは、ストレートであり、単独の平面であってもよいし、平面と平面の組み合わせでもよく、若干の凸凹があっても全体として平面である形状を表し、湾曲面状とは単一の湾曲面であってもよく、湾曲面と平面との組み合わせてでもよく、全体として湾曲面である形状を表す。また、仕切り部材(5)は図７に示すように平面と平面の組み合わせからなるものでも良い。しかし、好ましくは湾曲面と平面の組み合わせからなるものがよい。前記組み合わせにする場合、スムーズに粒状物を取出し口まで導入することができる。また一度に複数の粒状物を振り出す場合、必要に応じて、図８に示すように適当な大きさのポケット(10)を設けたり、図9に示すように粒状物の粒径に応じて２つの仕切り部材（4）および（5）から形成される通路の幅を変えることができる。
【００１５】
蓋部材(2)の内側周辺部には凸型ボス(6a)、(6b)、(6c)、(6d)および(6e)を設け、前記ボスに対応し、底部材(1)には凹穴付ボス(7a)、(7b)、(7c)、 (7d)および (7e)がそれぞれ形成されており、それぞれ対応して嵌合するようになっている。本発明ではボスの嵌合によって容器を組み立てる機構となっているが、前記の手段に限らず係止によるものや、超音波シールまたはヒートシールなどの熱融着による方法で容器を組み立てるようにしてもよい。
【００１６】
図１０〜図１２は、前記容器の取出し口（8）を下に向けて、横からみて粒状物の挙動を示す図である。なお図示しないが取出し口キャップ(3)は開いた状態である。取出し口(8)を下に向けて容器を手に持った時、粒状物は仕切り部材(4)と(5)によってせき止められ、取出し口(8)からこぼれ出すことは無い（図１０）。このとき取出し口(8)に一番近い粒状物(9)は仕切り部材(4)によってせき止められている。この状態で、容器を軽く振り上げると、粒状物は容器上部へ移動するが、先頭にある粒状物(9)ひと粒のみが、仕切り部材(5)に沿って取出し口(8)上部に移動する(図１１)。さらに容器を振り下げることにより、粒状物(9)ひと粒のみが取出し口(8)より振り出される(図１２)。この動作を繰り返すことにより、容器をひと振りする毎に粒状物をひと粒ずつ振り出すことが出来る。
【産業上の利用可能性】
【００１７】
本発明は清涼用粒状物、粒状菓子、錠菓等を収納し、定量ずつ振り出す携帯用小型振出し容器として利用可能である。
【図面の簡単な説明】
【００１８】
【図１】本発明の振出し容器を示す全体斜視図
【図２】蓋部材の斜視図
【図３】底部材の斜視図
【図４】湾曲面と平面の組み合わせの取出し部を有する底部材の態様を示す平面図
【図５】蓋部材の内側からみた平面図
【図６】複数の湾曲面と平面の組み合わせの取出し部を有する底部材の態様を示す平面図
【図７】平面の組み合わせの取出し部を有する底部材の態様を示す平面図
【図８】粒状物の大きさに対応したポケットを有する底部材の態様を示す平面図
【図９】取出し部の通路が粒状物の２個分になっている底部材の態様を示す平面図
【図１０】容器を振り上げるときの粒状物の挙動を示す図
【図１１】振り上げた容器を振り下げるときの粒状物の挙動を示す図
【図１２】容器を振り下げた後の粒状物の状態を示す図
【符号の説明】
【００１９】
A      容器本体
１     底部材
２     蓋部材
３     取出し口キャップ
４     仕切り部材
５     仕切り部材
６a〜e 凸型ボス
７a〜e 凹穴付ボス
８     取出し口
９     粒状物
１０   ポケット
【図１】
2005280825.tif 000003
【図２】
2005280825.tif 000004
【図３】
2005280825.tif 000005
【図４】
2005280825.tif 000006
【図５】
2005280825.tif 000007
【図６】
2005280825.tif 000008
【図７】
2005280825.tif 000009
【図８】
2005280825.tif 000010
【図９】
2005280825.tif 000011
【図１０】
2005280825.tif 000012
【図１１】
2005280825.tif 000013
【図１２】
2005280825.tif 000014